(57)【要約】【課題】小さな震動でも扉がロックできるように感度を向上するとともに、装置を小型化する。【解決手段】ラッチ本体２は、ケース４、アーム部材５、球体６を備える。アーム部材５には、平常状態にある球体６と当接し、先端部がケース４の下面から突出しないように揺動範囲を規制する揺動規制片８を設ける。ラッチ受け３の基端部に、上方に傾斜する傾斜部９を形成し、収納装置３０の扉３２を閉止した状態で、傾斜部９にアーム部材５の先端部が係合することによって、アーム部材５が上方に押し上げられ、揺動規制片８が球体６と接触しないようにする。震動発生時に、球体６が平常状態の所定位置から移動し、揺動規制片８が球体６に当接するのが回避されるとともに、収納装置３０の本体３１から扉３２が離間するのに伴って、アーム部材５の先端部が、傾斜部９を下方側に摺動しつつ、ケース４の下面から突出し、ラッチ受け３に係止される。【選択図】図８
2020007804.tif 000002
【特許請求の範囲】
【請求項１】
収納装置の本体側に取り付けられたラッチ本体と、収納装置の扉側に取り付けられたラッチ受けとからなり、
前記ラッチ本体は、ケースと、このケースに対して揺動自在に設けられ、先端部が前記ケースの下面から出没可能に配置されるとともに、先端部が突出した状態で前記ラッチ受けに係止可能なアーム部材と、前記ケース内に収容され、平常時には所定位置に配置されるとともに、震動発生時に移動可能とされた球体とを備え、
前記アーム部材には、平常状態にある前記球体と当接し、先端部が前記ケースの下面から突出しないように該アーム部材の揺動範囲を規制する揺動規制片が設けられ、
前記ラッチ受けの基端部に、基端側に向かうに従って上方に傾斜する傾斜部が形成され、収納装置の扉を閉止した状態で、前記傾斜部に前記アーム部材の先端部が係合することによって、前記アーム部材が上方に押し上げられ、前記揺動規制片が前記球体と接触しないように成されており、
震動発生時に、前記球体が平常状態の所定位置から移動し、前記揺動規制片が前記球体に当接するのが回避されるとともに、収納装置の本体から扉が離間するのに伴って、前記アーム部材の先端部が、前記傾斜部を下方側に摺動しつつ、前記ケースの下面から突出し、前記ラッチ受けに係止されることを特徴とする耐震ラッチ。
【請求項２】
前記球体は、前記ケース内に形成された球体配置区画内に収容され、前記球体配置区画の底面は、平常状態にある前記球体の配置位置がその周囲より相対的に窪んでいる請求項１記載の耐震ラッチ。
【請求項３】
前記ラッチ受けの先端にフック部が設けられ、前記アーム部材の先端部が前記ラッチ受けのフック部に係止可能なループ状に形成されている請求項１、２いずれかに記載の耐震ラッチ。
【発明の詳細な説明】
【技術分野】
【０００１】
本発明は、地震発生時に扉が開放しないようにロックする耐震ラッチに関する。
【背景技術】
【０００２】
従来より、食器棚、本棚、タンスなどの収納装置として、本体前面の開口部に対して、側端で枢支された観音開き又は片開きなどの開き戸タイプの扉を備えた収納棚などが広く用いられている。
【０００３】
近年では、地震発生時の震動により扉が開放して、内部に収納された食器等の収納物が飛び出て落下することによる収納物の破損や人への危害を防止するため、地震発生時に扉が開放しないようにロック（固定）する耐震ラッチが取り付けられるようになってきた。
【０００４】
このような耐震ラッチとして、例えば下記特許文献１には、施錠装置の本体に、震動時に扉の開動作を規制する規制体が設けられるとともに、前記規制体の回動を許容する許容状態及び前記規制体の回動を規制する規制状態になる可動体が設けられ、震動時に姿勢変化して前記可動体を許容状態から規制状態にする第１感震錘体が設けられた施錠装置が開示されている。
【先行技術文献】
【特許文献】
【０００５】
【特許文献１】特開２０１３−１７０４０２号公報
【発明の概要】
【発明が解決しようとする課題】
【０００６】
上記特許文献１記載の施錠装置では、前記第１感震錘体の上面に形成された逆円錐面状の凹状面部に可動体の突出部の下端部が接触しており、震動時に前記第１感震錘体が直立姿勢から傾き姿勢に姿勢変化することにより、前記可動体が回動して許容状態から規制状態になるものであるが、この震動による第１感震錘体の姿勢変化がある程度大きな震動、例えば震度４以上などでないと生じ難いと考えられる。すなわち、前記可動体を規制状態にするためのトリガーとなる第１感震錘体の上面に前記可動体の突出部の下端部が接触しているため、この接触によって第１感震錘体の自由な傾動が阻害され、小さな震動では感知しにくく、感度が鈍いことが懸念されていた。
【０００７】
前記第１感震錘体の姿勢変化が生じない小さな震動では、前記施錠装置によって扉がロックされず、収納物の種類や収納方法などによっては収納物の重みで扉が開いて内部から収納物が飛び出るおそれがあった。
【０００８】
また、上記特許文献１記載の施錠装置では、本体内に第１感震錘体が直立姿勢で設置されているため、本体が大きくならざるを得ず、収納棚に取り付けた際に突出して邪魔になっていた。
【０００９】
そこで本発明の主たる課題は、小さな震動でも扉がロックできるように感度を向上するとともに、装置を小型化した耐震ラッチを提供することにある。
【課題を解決するための手段】
【００１０】
上記課題を解決するために請求項１に係る本発明として、収納装置の本体側に取り付けられたラッチ本体と、収納装置の扉側に取り付けられたラッチ受けとからなり、
前記ラッチ本体は、ケースと、このケースに対して揺動自在に設けられ、先端部が前記ケースの下面から出没可能に配置されるとともに、先端部が突出した状態で前記ラッチ受けに係止可能なアーム部材と、前記ケース内に収容され、平常時には所定位置に配置されるとともに、震動発生時に移動可能とされた球体とを備え、
前記アーム部材には、平常状態にある前記球体と当接し、先端部が前記ケースの下面から突出しないように該アーム部材の揺動範囲を規制する揺動規制片が設けられ、
前記ラッチ受けの基端部に、基端側に向かうに従って上方に傾斜する傾斜部が形成され、収納装置の扉を閉止した状態で、前記傾斜部に前記アーム部材の先端部が係合することによって、前記アーム部材が上方に押し上げられ、前記揺動規制片が前記球体と接触しないように成されており、
震動発生時に、前記球体が平常状態の所定位置から移動し、前記揺動規制片が前記球体に当接するのが回避されるとともに、収納装置の本体から扉が離間するのに伴って、前記アーム部材の先端部が、前記傾斜部を下方側に摺動しつつ、前記ケースの下面から突出し、前記ラッチ受けに係止されることを特徴とする耐震ラッチが提供される。
【００１１】
上記請求項１記載の発明では、収納装置の本体側に取り付けられるラッチ本体として、ケースと、このケースに対して揺動自在に設けられ、先端部が前記ケースの下面から出没可能に配置されるとともに、先端部が突出した状態で前記ラッチ受けに係止可能なアーム部材と、前記ケース内に収容され、平常時には所定位置に配置されるとともに、震動発生時に移動可能とされた球体とを備えている。前記アーム部材には、平常状態にある前記球体と当接し、先端部が前記ケースの下面から突出しないように該アーム部材の揺動範囲を規制する揺動規制片が設けられている。前記ラッチ受けの基端部には、基端側に向かうに従って上方に傾斜する傾斜部が形成され、収納装置の扉を閉止した状態で、前記傾斜部に前記アーム部材の先端部が係合することによって、前記アーム部材が上方に押し上げられ、前記揺動規制片が前記球体と接触しないように成されている。
【００１２】
そして、震動発生時には、前記球体が平常状態の所定位置から移動し、前記揺動規制片が前記球体に当接するのが回避されるとともに、収納装置の本体から扉が離間するのに伴って、前記アーム部材の先端部が、前記傾斜部を下方側に摺動しつつ、前記ケースの下面から突出し、前記ラッチ受けに係止されるようになっている。
【００１３】
このように、平常時に収納装置の扉を閉止した状態では、前記ラッチ受けの傾斜部にアーム部材の先端部が係合し、前記球体から揺動規制片が浮いた状態で保持されるため、前記球体は、他の部材が接触しないフリーな状態で配置されるようになり、小さな震動でも前記球体が鋭敏に移動して扉がロックできるようになり、震動に対する感度が向上する。また、前記球体が移動することによって扉をロックする機構であるため、それほど大きなスペースを必要とせず、装置の小型化が可能となる。
【００１４】
請求項２に係る本発明として、前記球体は、前記ケース内に形成された球体配置区画内に収容され、前記球体配置区画の底面は、平常状態にある前記球体の配置位置がその周囲より相対的に窪んでいる請求項１記載の耐震ラッチが提供される。
【００１５】
上記請求項２記載の発明では、平常状態にある前記球体がケース内の所定位置に配置されるように、球体をケース内の球体配置区画内に収容し、この球体配置区画の底面に周囲より相対的に窪む窪み部を設けることによって、平常状態にある球体が所定位置に配置されるようにしている。
【００１６】
請求項３に係る本発明として、前記ラッチ受けの先端にフック部が設けられ、前記アーム部材の先端部が前記ラッチ受けのフック部に係止可能なループ状に形成されている請求項１、２いずれかに記載の耐震ラッチが提供される。
【００１７】
上記請求項３記載の発明は、収納装置の扉をロックするためのラッチ受けとアーム部材との係止機構である。具体的には、前記ラッチ受けの先端にフック部が設けられ、前記アーム部の先端部に前記フック部に係止可能なループ部を設けている。
【発明の効果】
【００１８】
以上詳説のとおり本発明によれば、小さな震動でも扉がロックできるようになるとともに、装置の小型化が可能になる。
【図面の簡単な説明】
【００１９】
【図１】本発明に係る耐震ラッチ１の収納装置への取付状態を示す斜視図である。
【図２】ラッチ本体２の分解斜視図である。
【図３】ラッチ本体２を示す、(A)は上面図、(B)は平常時における(A)のB-B線矢視図、(C)は震動発生時における(A)のB-B線矢視図である。
【図４】ケース４を示す、(A)は上面図、(B)は(A)のB-B線矢視図、(C)は(A)のC-C線矢視図である。
【図５】アーム部材５を示す、(A)は上面図、(B)は(A)のB-B線矢視図である。
【図６】ラッチ受け３を示す、(A)は上面図、(B)は側面図、(C)は(A)のC-C線矢視図である。
【図７】平常時に扉３２を開操作した時の耐震ラッチ１の作動状態を示す断面図である。
【図８】震動発生時における耐震ラッチ１の作動状態を示す断面図である。
【発明を実施するための形態】
【００２０】
以下、本発明の実施の形態について図面を参照しながら詳述する。
【００２１】
本発明に係る耐震ラッチ１は、図１に示されるように、収納装置３０の本体３１側に取り付けられたラッチ本体２と、収納装置３０の扉３２側に取り付けられたラッチ受け３とから構成されている。前記収納装置３０としては、本体３１の前面に設けられた開口部に対して開き戸タイプの扉３２が取り付けられた収納棚などを対象としている。前記耐震ラッチ１は、各扉３２の戸先側の上端部にそれぞれ取り付けられている。
【００２２】
前記ラッチ本体２は、図２に示されるように、ケース４と、このケース４に対して揺動自在に設けられ、先端部がケース４の下面から出没可能に配置されるとともに、先端部が突出した状態で前記ラッチ受け３に係止可能なアーム部材５と、前記ケース４内に収容され、平常時には所定位置に配置されるとともに、震動発生時に移動可能とされた球体６と、前記アーム部材５及び球体６をケース４内に収容した状態で前記ケース４の上面を覆う蓋体７とから構成されている。
【００２３】
前記アーム部材５には、図３(B)に示されるように、平常状態にある前記球体６と当接し、先端部がケース４の下面から突出しないように該アーム部材５の揺動範囲を規制する揺動規制片８が設けられている。平常時に扉３２を開操作した際、前記揺動規制片８が平常状態にある球体６と当接することにより、前記アーム部材５の揺動が規制され、アーム部材５の先端部がケース４の下面から突出しなくなるため、アーム部材５がラッチ受け３に係止せず、扉３２が開放できるようになっている（図７参照）。
【００２４】
一方、図１に示されるように、前記ラッチ受け３の基端部には、基端側に向かうに従って上方に傾斜する傾斜部９が形成され、収納装置３０の扉３２を閉止した状態で、前記傾斜部９にアーム部材５の先端部が係合することによって、前記アーム部材５が上方に押し上げられ、前記揺動規制片８が球体６と接触しないように成されている（図７(A)参照）。
【００２５】
震動発生時には、図３(C)に示されるように、前記球体６が平常状態の所定位置から移動し、前記揺動規制片８が球体６に当接するのが回避されるとともに、収納装置３０の本体３１から扉３２が離間するのに伴って、前記アーム部材５の先端部が前記傾斜部９を下方側に摺動しつつ、前記ケース４の下面から突出し、前記ラッチ受け３に係止されるようになる（図８参照）。
【００２６】
以上の構成により、平常時に収納装置３０の扉３２を閉止した状態では、前記ラッチ受け３の傾斜部９にアーム部材５の先端部が係合し、前記球体６から揺動規制片８が浮いた状態で保持されるため、前記球体６は、他の部材が接触しないフリーな状態で配置され、小さな震動でも前記球体６が鋭敏に移動して扉３２がロックできるようになる。従って、震動に対する感度が向上できるようになる。また、前記球体６が移動することによって扉３２をロックする機構であるため、それほど大きなスペースを必要とせず、装置の小型化が可能となる。
【００２７】
以下、前記耐震ラッチ１について更に詳細に説明すると、前記ケース４は、図２及び図４に示されるように、周囲が壁面で囲まれ、上面が開放するとともに下面の一部が開放した略直方体の外形を有している。周囲が壁面で囲まれたケース内の略中央部には、周囲が壁面で囲まれるとともに底面を有する枡形に形成された内部に前記球体６が収容される島状の球体配置区画１０が設けられている。前記ケース４の下面は、前記球体配置区画１０の後方部より後側に底板１１が設けられ、それより前側には底板が設けられず、下方に開放している。この開放した下面から、前記アーム部材５の先端部が下方に突出できるようになっている。
【００２８】
前記ケース４は、両側部の前後方向中央部に、ラッチ本体２を収納装置３０の本体３１に固定するための固定ビスが挿通される上下方向に貫通する通孔１２、１２がそれぞれ形成されている。また、前記通孔１０の前後部にはそれぞれ、前記蓋体７の下面の両側に形成された下方に突出する係止ツメ７ａ、７ａ…が挿通される上下方向に貫通する通孔１３、１３…が形成されている。
【００２９】
また、前記ケース４の両側の後端部には、前記アーム部材５の回動軸２０が嵌入される軸受け部１４、１４が形成されている。前記軸受け部１４に前記アーム部材５の回動軸２０を嵌入した状態で、前記回動軸２０がケース４に対して回動可能に設けられるようになっている。
【００３０】
前記ケース４の前側の壁面には、図２及び図４(B)に示されるように、扉３２の閉止時にラッチ受け３が嵌合可能な、幅方向中央部に下面側から切り欠いた切欠き部１５が形成されている。前記切欠き部１５が形成されるケース４の前側の壁面とは、図１に示されるように、扉３２と対面する側の面である。
【００３１】
前記球体配置区画１０は、内部に前記球体６が収容され、この球体配置区画１０内を前記球体６が移動可能となっている。前記球体配置区画１０の後側の壁面には、幅方向中央部の上端から上下方向に沿ってスリット１６が設けられている。このスリット１６には、前記アーム部材５の揺動規制片８が嵌入され、アーム部材５の上下方向の揺動に伴って、前記揺動規制片８がこのスリット１６を上下方向に移動できるようになっている。
【００３２】
前記球体配置区画１０の底面は、平常状態にある球体６の配置位置がその周囲より相対的に窪む、全体的に傾斜した傾斜状に形成されている。最も窪んだ部分である最窪み部１７は、前記スリット１６に近接した幅方向中央部の後端部に設けられている。その周囲の底面は、図４(B)、(C)に示されるように、前記最窪み部１７から離れるにつれて徐々に高くなるように傾斜している。これにより、平常状態にある球体６は重力によって前記最窪み部１７に配置され、震動発生時には、慣性の法則により、収納装置３０の本体３１の移動方向と反対側に移動し、震動が終息して平常状態に戻ったときは重力によって再び前記最窪み部１７に配置されるようになる。
【００３３】
次いで、前記アーム部材５は、詳細には図５に示されるように、後部を幅方向に延びる軸部１８と、この軸部１８の両側部から前方に延び、前部で連結されることにより、中央部が貫通した平面視略四角形のループ状（環状）に形成されたアーム部１９と、前記軸部１８の幅方向中央部から前側に向けて中央貫通部内に突出する前記揺動規制片８と、前記軸部１８の両側に突出する回動軸２０、２０とから構成されている。前記アーム部１９は、同図５(B)に示されるように、前記揺動規制片８の中間部で所定の角度で屈折することにより、平常時に扉３２を閉止した状態では、図７(A)に示されるように、アーム部１９がケース４内の上部に沿って配置されるようになるとともに、平常時に扉３２を開操作した際、前記揺動規制片８が球体６に当接するまでの間において、前記アーム部１９がケース４内に収容された状態が保持できるようになっている。
【００３４】
前記アーム部材５は、前記回動軸２０を前記ケース４の軸受け部１４に嵌入するとともに、前記揺動規制片８を球体配置区画１０のスリット１６に嵌合することにより、前記ケース４内に収容される。なお、前記アーム部材５がケース４内に収容された状態で、ループ状に形成されたアーム部１９の中央貫通部に前記球体配置区画１０が配置されるようになっている。
【００３５】
前記球体６は、鋼球やステンレス球などからなり、直径約２〜２０ｍｍ、好ましくは３〜１０ｍｍのものを用いるのがよい。
【００３６】
前記蓋体７は、図２に示されるように、前記ケース４の上面を覆う略四角形の平板であり、前記通孔１２、１２に対応する両側部に切欠き部が形成されるとともに、その前後にそれぞれ下方側に突出する係止ツメ７ａ、７ａ…が形成されている。前記係止ツメ７ａ…を前記ケース４の通孔１３に挿入して、先端のツメ部をケース４の下面に係止することにより、蓋体７がケース４に固定できるようになっている。
【００３７】
一方、前記ラッチ受け３は、詳細には図６に示されるように、扉３２の取付基端側に向かうに従って上方に傾斜する傾斜部９が形成されるとともに、前記傾斜部９より突出側の先端部にフック部２１が形成されている。また、基端部には、収納装置３０の扉３２に固定するための固定ビスが挿通される通孔２２、２２が形成さている。
【００３８】
前記ラッチ受け３の傾斜部９の幅は、前記アーム部材５のアーム部１９の先端部１９ａの幅より狭く形成されており、前記アーム部材５の先端部１９ａが傾斜部９の最外面を摺動できるようになっている。また、前記フック部２１の幅は、前記アーム部材５の中央貫通部の幅より狭く形成され、前記フック部２１にアーム部材５のアーム部１９の先端部が係止できるようになっている。
【００３９】
前記ラッチ受け３は、図７に示されるように、扉３２を閉止した状態で、フック部２１がラッチ本体２より下方に位置するとともに、傾斜部９の基端側の一部が前記ケース４の前側の壁面に形成された切欠き部１５を通じてケース４内に挿入され、アーム部材５のアーム部１９の先端部１９ａと係合して、アーム部材５の先端部１９ａが前記傾斜部９を摺動して上方に押し上げられるようになっている。
【００４０】
次に、本耐震ラッチ１の作動状態について説明する。平常時に収納装置３０の扉３２を閉止した状態では、図７(A)に示されるように、ラッチ受け３の傾斜部９にアーム部材５の先端部１９ａが係合することによって、アーム部材５が上方に押し上げられ、アーム部材５の揺動規制片８が平常状態にある球体６に接触しないようになっている。
【００４１】
この状態から、扉３２を開操作したとき、同図７(B)に示されるように、収納装置３０の扉３２が本体３１から離間するのに伴って、アーム部材５のアーム部１９の先端部１９ａが傾斜部９を下方側に摺動するが、アーム部材５の揺動規制片８が平常状態にある球体６と当接することにより、アーム部材５の回動が停止し、その状態で保持される。このため、同図７(C)に示されるように、アーム部材５がラッチ受け３に係止せず、扉３２を開放することができる。
【００４２】
一方、地震による震動発生時には、図８(A)に示される扉３２の閉止状態から、同図８(B)に示されるように、扉３２と反対側の収納装置３０の背面側に向けた揺れが発生したとき、収納装置３０の本体３１が背面側に移動するのに伴ってラッチ本体２も背面側に移動するが、このとき、球体６は重力以外に他の部材との接触による摩擦力等が発生しないため、慣性の法則により、元の位置に留まろうとする慣性力が発生し、この慣性力は球体６を平常状態の所定位置から相対的に扉３２側に移動させる力となる。これによって、球体６は、平常状態の所定位置から、上り傾斜状に形成された球体配置区画１０の底面を扉３２側に向けて移動する。
【００４３】
このとき、収納装置３０の扉３２も本体３１に対して離間する方向（扉３２が開く方向）に移動するのに伴って、アーム部材５のアーム部１９の先端部１９ａが、ラッチ受け３の傾斜部９を下方側に摺動する。このとき、前記球体６の移動によって、アーム部材５の揺動規制片８が球体６に当接することなく、アーム部材５の先端部１９ａがケース４の下面から突出するとともに、このケース４から突出したアーム部材５の先端部１９ａが、ラッチ受け３のフック部２１に係止される（図８(C)）。これによって、それ以上の扉３２の開方向への移動が停止し、本体３１から収納物が飛び出るのが防止できる。
【００４４】
その後、図８(D)に示されるように、揺れの方向が収納装置３０の背面側から扉３２側に向けた方向に変化したとき、収納装置３０の本体３１がその方向に移動するのに伴ってラッチ本体２もその方向に移動すると同時に、扉３２も閉止方向に移動する。扉３２の移動によって、アーム部材５のアーム部１９の先端部１９ａとフック部２１との係止が解除されるとともに、ラッチ受け３の傾斜部９を上方側に摺動する。扉３２が完全に閉止した状態では、図８(E)に示されるように、アーム部材５が上面に沿って配置され、揺動規制片８が球体６と当接しない位置まで上昇することにより、球体６が平常状態の所定位置である最窪み部１７に納まるようになる。再度揺れが生じた場合には、同じ動作を繰り返す。
【符号の説明】
【００４５】
１…耐震ラッチ、２…ラッチ本体、３…ラッチ受け、４…ケース、５…アーム部材、６…球体、７…蓋体、８…揺動規制片、９…傾斜部、１０…球体配置区画、３０…収納装置、３１…本体、３２…扉
【図１】
2020007804.tif 000003
【図２】
2020007804.tif 000004
【図３】
2020007804.tif 000005
【図４】
2020007804.tif 000006
【図５】
2020007804.tif 000007
【図６】
2020007804.tif 000008
【図７】
2020007804.tif 000009
【図８】
2020007804.tif 000010